(57)【要約】      （修正有）【課題】台所や洗面所、浴室等で洗浄等として使用されるスポンジ束子に関し、袋状部材とスポンジ部材との相対的な移動を阻止し、洗浄作業を繰り返して行うことによるスポンジ部材に対する袋状部材の位置ずれやスポンジ部材の捩じれを防止することのできるステッチを具備したスポンジ束子の利点を維持しつつ、さらに使用者の興趣を一層換起するようなスポンジ束子を提供する。【解決手段】スポンジ束子本体の表面から裏面に貫通するように縫糸を縫着して形成されたステッチを有するスポンジ束子において、目を描くための２個のアイステッチ、と、口を描くための１個のマウスステッチとの少なくとも２種のステッチが、前記スポンジ束子本体の表面及び裏面に配設されている。【選択図】図１
0003123849.tif 000002
【実用新案登録請求の範囲】
【請求項１】
袋状部材内にスポンジ部材が収納されたスポンジ束子本体（１）の表面から裏面に貫通するように縫糸を縫着して形成されたステッチを有するスポンジ束子において、目を描くための２個のアイステッチ（２）、（２）と、口を描くための１個のマウスステッチ（３）との少なくとも２種のステッチが、前記スポンジ束子本体（１）の表面及び裏面に配設されていることを特徴とするスポンジ束子。
【請求項２】
２個のアイステッチ（２）、（２）と、１個のマウスステッチ（３）との２種のステッチのみが、スポンジ束子本体（１）の表面及び裏面に配設されている請求項１記載のスポンジ束子。
【請求項３】
スポンジ束子本体（１）の長手方向の寸法ｄ1に対する、アイステッチ（２）とマウスステッチ（３）間の前記長手方向と同方向の寸法ｄ2の比率ｄ2／ｄ1が、１／１５〜１／５である請求項１又は２記載のスポンジ束子。
【請求項４】
アイステッチ（２）が平面円形状に形成されている請求項１乃至３のいずれかに記載のスポンジ束子。
【請求項５】
マウスステッチ（３）が平面棒状形に形成されている請求項１乃至４のいずれかに記載のスポンジ束子。
【考案の詳細な説明】
【技術分野】
【０００１】
本考案はスポンジ束子、さらに詳しくは、台所や洗面所、浴室等で洗浄用等として使用されるスポンジ束子に関する。
【背景技術】
【０００２】
一般に、台所や洗面所、浴室等で洗浄用等として使用されるスポンジ束子は、通水性を有する袋状部材内に、吸水性を有するスポンジ部材を封入等によって収納し、その封入口を封止して形成されており、使用に際しては、このスポンジ束子を把持し、スポンジ部材に洗剤等を含浸させた上で、これを被洗浄物である食器、調理具、或いは顔や体等に接触させて擦り、汚れを落とすように用いられている。
【０００３】
しかし、このようなスポンジ束子を被洗浄物に接触させて擦るような洗浄作業を行うと、スポンジ束子を構成する袋状部材とスポンジ部材とが相対的に移動して位置ずれするおそれがあり、このような洗浄作業を繰り返して行うと、スポンジ部材に対する袋状部材の位置ずれが顕著となり、またスポンジ部材が捩じれて
変形するおそれもある。
【０００４】
そこで、このような問題点を解決するために、上記のような袋状部材とスポンジ部材との相対的な移動を阻止し、それによって、洗浄作業を繰り返して行うことによるスポンジ部材に対する袋状部材の位置ずれやスポンジ部材の捩じれを防止するために、縫糸をスポンジ部材と袋状部材とに貫通させるような状態で縫い付けたステッチと称される縫着部分を具備したようなスポンジ束子も開発されている。
【考案の開示】
【考案が解決しようとする課題】
【０００５】
本考案は、このような点に鑑みて、上記のように袋状部材とスポンジ部材との相対的な移動を阻止し、洗浄作業を繰り返して行うことによるスポンジ部材に対する袋状部材の位置ずれやスポンジ部材の捩じれを防止することのできるステッチを具備したスポンジ束子の利点を維持しつつ、さらに使用者の興趣を一層換起するようなスポンジ束子を提供することを課題とするものである。
【課題を解決するための手段】
【０００６】
本考案は、このような課題を解決するためになされたもので、請求項１記載の考案は、袋状部材内にスポンジ部材が収納されたスポンジ束子本体１の表面から裏面に貫通するように縫糸を縫着して形成されたステッチを有するスポンジ束子において、目を描くための２個のアイステッチ２、２と、口を描くための１個のマウスステッチ３との少なくとも２種のステッチが、前記スポンジ束子本体１の表面及び裏面に配設されていることを特徴とする。
【０００７】
また請求項２記載の考案は、請求項１記載のスポンジ束子において、２個のアイステッチ２、２と、１個のマウスステッチ３との２種のステッチのみが、スポンジ束子本体１の表面及び裏面に配設されていることを特徴とする。
【０００８】
さらに請求項３記載の考案は、請求項１又は２記載のスポンジ束子において、
スポンジ束子本体１の長手方向の寸法ｄ1に対する、アイステッチ２とマウスステッチ３間の前記長手方向と同方向の寸法ｄ2の比率ｄ2／ｄ1が、１／１５〜１／５であることを特徴とする。
【０００９】
さらに請求項４記載の考案は、請求項１乃至３のいずれかに記載のスポンジ束子において、アイステッチ２が平面円形状に形成されていることを特徴とする。
さらに請求項５記載の考案は、請求項１乃至４のいずれかに記載のスポンジ束子において、マウスステッチ３が平面棒状形に形成されていることを特徴とする。
【考案の効果】
【００１０】
本考案は、上述のように、スポンジ束子本体の表面から裏面に貫通するように縫糸を縫着して形成されたステッチを有するスポンジ束子において、目を描くための２個のアイステッチと、口を描くための１個のマウスステッチとの少なくとも２種のステッチが、スポンジ束子本体の表面及び裏面に配設されているものであるため、その２個のアイステッチと１個のマウスステッチとによって、スポンジ束子本体にあたかも人の顔が描かれているような印象を使用者に与え、使用者に特有の興趣を与えることができるという効果がある。
【００１１】
また、この種のスポンジ束子は洗浄時に被洗浄物に接触させて擦るように使用されるものであるが、たとえば単に目形のシールや口形のシールをスポンジ束子本体に貼るだけの場合には、その目形、口形のシールが剥離するおそれがあるが、本考案においては、アイステッチやマウスステッチが、スポンジ束子本体の表面から裏面に縫糸を貫通するように縫着して形成されたものであるため、シ―ルの場合のような剥離等が生じるおそれもない。
【００１２】
しかも、上記のようなアイステッチやマウスステッチは、スポンジ束子本体の表面から裏面に貫通するように縫着して形成されたものであるため、スポンジ束子本体の表面側及び裏面側のいずれの側にも目を描くための２個のアイステッチと口を描くための１個のマウスステッチとが配置された状態となっており、従って、スポンジ束子本体の表裏いずれの側にも人顔の目や口が現出された状態となるので、スポンジ束子の使用中においても、使用者には常にその目や口が現出された状態となり、興趣が損なわれるようなこともない。
【００１３】
また、上記アイステッチやマウスステッチは、スポンジ束子本体の表面から裏面に貫通するように縫着して形成されているので、袋状部材とスポンジ部材が相対的に移動して位置ずれすることや、スポンジ部材が捩じれるようなことを防止できるという、従来のステッチを具備したスポンジ束子の利点をそのまま維持することができる。
【００１４】
さらに、たとえば鼻や耳などの他の部位を現出するようなステッチを用いることなく、上記２個のアイステッチと１個のマウスステッチのみをスポンジ束子本体に配設した場合には、人顔を描くのに必要なステッチの数や種類を必要最小限に制限することができ、それによって、被洗浄物に接触させて洗浄等を行うというスポンジ束子の本来の機能を損なうのを極力防止することができる。
【００１５】
すなわち、ステッチは上述のように縫糸をスポンジ束子の表面側から裏面側に貫通させて縫着することにより形成されるものであるため、スポンジ束子の表裏面は必然的に湾曲することとなる。従って、ステッチの数や種類が増えると、スポンジ束子の表裏面において湾曲する部分の面積が多くなり、その分、スポンジ束子の使用時に被洗浄物に対する接触面積が減少し、スポンジ束子の機能が損なわれるおそれがあるのである。
【００１６】
さらに、たとえば目と鼻の２種のステッチ、鼻と口の２種のステッチを用いるようなことも考えられるが、その場合には配設されたステッチによって人顔がスポンジ束子の表面に現出されているような印象を使用者に与えることができないが、本考案においては、目と口を描くアイステッチとマウスステッチとをスポンジ束子の表面に配設したため、必要最小限の種類と数のステッチで人顔が表面に現出されている印象を付与することができるという効果がある。
【００１７】
さらに、スポンジ束子本体の長手方向の寸法ｄ1に対する、アイステッチとマウスステッチ間の前記長手方向と同方向の寸法ｄ2の比率ｄ2／ｄ1が、１／５以下とした場合には、そのアイステッチとマウスステッチとがスポンジ束子本体の中央等の一部に集中して配置された状態になるので、集中してステッチが配置された部分以外の部分は、ステッチを構成する縫糸の貫通によって内側に撓むような状態になることがなく、その撓んでいない寸法分のスペースを、スポンジ束子の使用時、すなわち被洗浄物を洗浄する際に有効に利用することができ、スポンジ束子本体の有効利用スペースが上記アイステッチやマウスステッチによって制限を受けることがない。
【００１８】
またｄ2／ｄ1を１／１５以上とした場合には、アイステッチやマウスステッチが接近しすぎて人顔が現出され難くなるようなことを防止することができる。
【考案を実施するための最良の形態】
【００１９】
以下、本考案の実施形態について説明する。
【００２０】
本実施形態のスポンジ束子のスポンジ束子本体１は、図１に示すように全体が平面略長方形状に形成されたものであり、図２乃至図５に示すように、一定の厚みを有して形成されている。このスポンジ束子本体１は、図示されていないが、一般のスポンジ束子と同様に、袋状部材と、該袋状部材内に封入されたスポンジ部材とで構成されている。
【００２１】
袋状部材としては、たとえばポリアミド系合成繊維等の合成繊維で網状に編成されたようなものを用いることができる。またスポンジ部材としては、たとえば合成樹脂製の発泡状物のようなものの他、従前から用いられている海綿のようなものを用いることもできる。いずれにしても、被洗浄物を洗浄するのに適した吸水性と弾力性を有したものが用いられる。
【００２２】
スポンジ束子本体１には、図１に示すように、２個のアイステッチ２、２と、１個のマウスステッチ３とが配置して設けられている。このアイステッチ２、２とマウスステッチ３とは、図２乃至図５に示すように、スポンジ束子本体１の表面側から裏面側にかけて縫糸を貫通させながら前記袋状部材とスポンジ部材とを縫着することによって構成されている。そしてアイステッチ２は、図１のように平面略円形状に形成され、マウスステッチ３は、同図のように平面略棒状に形成されている。
【００２３】
このように表面側から裏面側にかけて縫糸を貫通させながら袋状部材とスポンジ部材が縫着されているので、これら２個のアイステッチ２、２と、１個のマウスステッチ３とは、スポンジ束子本体１の表面側及び裏面側のいずれの側にも現出された状態となる。
【００２４】
また２個のアイステッチ２、２と、１個のマウスステッチ３とが、スポンジ束子本体１の表面側から裏面側にかけて縫糸を貫通させながら袋状部材とスポンジ部材が縫着されているため、袋状部材とスポンジ部材が個別に動いてずれたり、スポンジ部材が捩じれたりすることもない。
【００２５】
さらに、スポンジ束子本体１の表面側から裏面側に糸を貫通させながらアイステッチ２、２とマウスステッチ３とが形成されているので、そのアイステッチ２、２とマウスステッチ３とが形成されている周辺部分においては、前記縫糸の貫通
縫着によりスポンジ束子本体１が撓むことによって、図２乃至５に示すように、凹部４、５がそれぞれ形成されている。
【００２６】
さらに、図１に示すスポンジ束子本体１の長手方向の寸法ｄ1と、同方向の上記アイステッチ２とマウスステッチ３間の寸法ｄ2との比率ｄ2／ｄ1は、約１／７に形成されている。そして、アイステッチ２とマウスステッチ３とは、ともにスポンジ束子本体１の長手方向の中央近辺に集中して設けられている。このため、アイステッチ２とマウスステッチ３とが設けられた中央部分以外の部分においては、スポンジ束子本体１の長手方向の寸法ｄ1に対して６／７の寸法のスペースが確保されていることとなり、従って、スポンジ束子本体１の長手方向における中央エリアの両外側においては、それぞれ３／７ずつの寸法のスペースが確保されていることとなる。
【００２７】
そして、アイステッチ２とマウスステッチ３とが設けられていない前記両外側
の部分においては、湾曲していない表面部分のある程度のスペースが確保されているので、スポンジ束子によって被洗浄物を洗浄する際に、前記湾曲していない表面部分を被洗浄物に接触させることで、洗浄作業等に支障を生じることもない。
【００２８】
一方、スポンジ束子本体１の短手方向においては、マウスステッチ３が該短手方向の略中央に設けられ、２個のアイステッチ２、２がその両側に設けられている。尚、短手方向においては、アイステッチ２とマウスステッチ３とは必ずしも中央近辺に集中して設けられているわけではないが、上述のように長手方向部分で一定のスペースが確保されているので、被洗浄物の洗浄作業等に支障を生じることもないのである。
【００２９】
その一方で、短手方向においては、２個のアイステッチ２、２とマウスステッチ３とがある程度の間隔を隔てて配置されることで、人顔を現出させるというアイステッチ２やマウスステッチ３の機能を喪失させることもないのである。
【００３０】
尚、上記実施形態では、スポンジ束子本体１の長手方向の寸法ｄ1と、同方向のアイステッチ２とマウスステッチ３間の寸法ｄ2との比率ｄ2／ｄ1を約１／７に形成したため、上記のような好ましい効果が得られたが、この寸法比ｄ2／ｄ1は該実施形態に限定されるものではない。ただし、上述のようにアイステッチ２とマウスステッチ３とが設けられていない部分にある程度のスペースを確保して上記洗浄時などにおける作業に支障を生じさせない観点からは、上記寸法比ｄ2／ｄ1は、１／５以下とするのが望ましい。
【００３１】
一方、ｄ2／ｄ1が小さすぎると、アイステッチ２とマウスステッチ３間の距離が非常に接近した状態となるので、そのアイステッチ２とマウスステッチ３とによって目や口が描かれているという印象が薄れ、使用者にもたらす興趣が損なわれるおそれがある。この観点からは、ｄ2／ｄ1は１／１５以上であることが望ましい。
【００３２】
また上記実施形態では、アイステッチ２が平面略円形状に形成され、マウスステッチ３が平面略棒状形に形成されていたが、アイステッチ２やマウスステッチ３の形状も該実施形態に限定されない。
【００３３】
さらに上記実施形態では、スポンジ束子本体１が平面長方形状に形成されていたが、スポンジ束子本体１の形状も該実施形態に限定されるものではなく、たとえば平面円形状や平面楕円形状に形成されたものであってもよい。
【００３４】
尚、本考案のスポンジ束子においては、上述のようにアイステッチ２やマウスステッチ３が、縫糸をスポンジ束子本体１の表面及び裏面に貫通させて縫着され、それによって袋状部材とスポンジ部材との離脱が阻止されることから、袋状部材とスポンジ部材とでスポンジ束子本体１が構成されることを主眼とするが、このように袋状部材とスポンジ部材とでスポンジ束子本体１を構成することは本考案に必須の条件ではない。
【図面の簡単な説明】
【００３５】
【図１】一実施形態のスポンジ束子の概略平面図。
【図２】図１のＡ−Ａ線断面図。
【図３】図１のＢ−Ｂ線断面図。
【図４】図１のＣ−Ｃ断面図。
【図５】図１のＤ−Ｄ断面図。
【符号の説明】
【００３６】
１…スポンジ束子本体      ２…アイステッチ
３…マウスステッチ
【図１】
0003123849.tif 000003
【図２】
0003123849.tif 000004
【図３】
0003123849.tif 000005
【図４】
0003123849.tif 000006
【図５】
0003123849.tif 000007